(57)【要約】 【課題】スイッチ機能を確保しつつ興趣を向上させ得る遊技機用の操作スイッチとそれを備えた遊技機を提供する。【解決手段】遊技機用操作スイッチ１００は、遊技者による押圧移動操作を受ける操作ボタン１１（操作部）と、操作ボタン１１への押圧移動操作に基づいて中心軸線Ｏ（基準線方向）へ移動するスイッチ本体１２と、パチンコ機１（遊技機）に固定され、スイッチ本体１２を収容するとともに、そのスイッチ本体１２の中心軸線Ｏへの移動を検出するためのフォトセンサ４３ｂ（移動検出手段）を収容するスイッチケース本体４１（ケース体）及び底蓋４２と、操作ボタン１１とスイッチ本体１２との間に介装される凹面鏡部材２０と、凹面鏡部材２０の結像対象となる対象物２３とを備える。操作ボタン１１は光を透過させる窪み部１１ａ１（窓部）を有しており、凹面鏡部材２０による結像作用に基づいて対象物２３の虚像Ｖが窪み部１１ａ１上で視認される。【選択図】図１０
2011019830.tif 000002
【特許請求の範囲】
【請求項１】
遊技機に装着され、その遊技機での待機状態を含む遊技状態に応じて押圧移動操作が可能な遊技機用操作スイッチであって、
遊技者による押圧移動操作を受ける操作部と、
前記操作部への押圧移動操作に基づいて基準線方向へ移動するスイッチ本体と、
前記遊技機に固定され、前記スイッチ本体を収容するとともに、そのスイッチ本体の前記基準線方向への移動を検出するための移動検出手段を収容するケース体と、
前記操作部と前記スイッチ本体との間に介装される凹面鏡部材と、
前記凹面鏡部材の結像対象となる対象物と、を備え、
前記操作部は光を透過させる窓部を有しており、前記凹面鏡部材による結像作用に基づいて前記対象物の虚像を前記窓部上にて又は前記窓部を通して視認できるように構成されていることを特徴とする遊技機用操作スイッチ。
【請求項２】
前記凹面鏡部材は、前記対象物を収容する凹面鏡及び該凹面鏡の鏡面側を覆う蓋体を備え、前記蓋体には、前記操作部の窓部に対応する位置に開口部が形成され、前記凹面鏡部材の内側には、前記対象物を照射する対象物用発光体が設けられており、前記操作部の窓部には、暗い側からは明るい側を透視でき、明るい側からは暗い側を透視し難くする半透鏡が設けられ、前記対象物用発光体の発光時には前記対象物の虚像を前記窓部上にて又は前記窓部を通して視認でき、前記対象物用発光体の非発光時には前記対象物の虚像を視認し難いように構成されている請求項１に記載の遊技機用操作スイッチ。
【請求項３】
前記凹面鏡又は前記蓋体には、前記対象物を照射する対象物用発光体を前記凹面鏡部材の内側へ突出配置可能な挿通口が形成されており、前記対象物は、前記挿通口を通して突出配置された前記対象物用発光体を収容するための凹部を有する透光性の樹脂材料で形成され、前記対象物用発光体がその対象物の凹部内で発光するように構成されている請求項２に記載の遊技機用操作スイッチ。
【請求項４】
前記蓋体は、前記凹面鏡を第１の凹面鏡として該第１の凹面鏡の鏡面と向き合う鏡面を備えた第２の凹面鏡である請求項２又は３に記載の遊技機用操作スイッチ。
【請求項５】
前記対象物用発光体及び前記移動検出手段は、前記ケース体に収容された一つの配線基板に実装されている請求項２ないし４のいずれか１項に記載の遊技機用操作スイッチ。
【請求項６】
前記操作部は、透光性の樹脂材料で形成され、前記蓋体との間には、前記操作部を通して可視光を外部に照射するための装飾用発光体を実装した円環状の発光基板が前記開口部の周りを囲むように設けられている請求項２ないし５のいずれか１項に記載の遊技機用操作スイッチ。
【請求項７】
前記発光基板は、前記配線基板を中継基板として制御部に接続されており、その制御部は、前記移動検出手段による前記スイッチ本体の移動検出に応じて前記対象物用発光体又は前記装飾用発光体を予め定められた発光パターンに基づいて発光させる請求項６に記載の遊技機用操作スイッチ。
【請求項８】
請求項１ないし７のいずれか１項に記載の遊技機用操作スイッチを備えることを特徴とする遊技機。
【発明の詳細な説明】
【技術分野】
【０００１】
本発明は、遊技機用操作スイッチ、およびその遊技機用操作スイッチを備えた遊技機に関する。
【背景技術】
【０００２】
従来、パチンコ機、アレパチ機等の弾球遊技機やスロットマシン、パチスロ機等の回胴式遊技機を含む種々の遊技機では、遊技領域に設ける液晶表示部（可変表示手段）や機枠（台枠）に設けるランプ、ＬＥＤ等の発光体を用いた表示演出、あるいは機枠（台枠）に設けるスピーカー（音声・音響出力手段）を用いた効果音・合成音声等の音演出によって、遊技者の興趣を高め遊技が単調になるのを防ぐ工夫がなされている。さらに近年では、遊技機側（すなわち遊技店側）から遊技者側に一方的に提供されるこれらの演出機能に加え、例えば遊技者の操作に基づき演出表示パターンを選択したり変更したりすることによって遊技環境に変化をもたらすことができるように、プレイヤー参加型の演出機能を備えるものも登場している。このようなプレイヤー参加型演出機能の一類型として、遊技者による基準線方向への押圧移動操作（プッシュ操作）が可能な、いわゆるプッシュボタン式の操作スイッチを備えたものがある。これによれば、例えば液晶表示部の表示画面でのナビゲーション表示（告知表示）に応じて遊技者が操作スイッチを押圧移動操作することにより表示内容を決定したり、実行させたりすることができる（非特許文献１，２参照）。
【０００３】
また、例えば下記特許文献１に記載されているように、遊技盤の裏面側にて遊技盤に固定された第２凹面鏡部材と、その第２凹面鏡部材に近接して相対向する第１位置と第２凹面鏡部材から離間する第２位置との間で移動可能に設けられる第１凹面鏡部材とを備え、第１凹面鏡部材が第１位置にあるときに限り、第２凹面鏡部材の内側底部に固定された表示対象物の立体像が遊技盤の盤面上の空間に映し出されるように構成されたパチンコ遊技機も知られている。このパチンコ遊技機では、遊技状態に応じた所定のタイミングで第１凹面鏡部材を第１位置に移動させることにより、表示対象物の立体像が遊技盤の盤面上の空間に映し出されるので、演出効果を向上させることが可能である。
【先行技術文献】
【非特許文献】
【０００４】
【非特許文献１】特許庁監修「平成１８年度標準技術集  遊技機及びその関連技術」“第１部パチンコ  ４−３−５−１  入力装置”（２００７年３月１４日特許庁ホームページにて公表）
【非特許文献２】特許庁監修「平成１８年度標準技術集  遊技機及びその関連技術」“第２部パチスロ  ２−３−４−３  プレイヤー参加型”（同上）
【特許文献】
【０００５】
【特許文献１】特開２００６−２２３４２３号公報
【０００６】
ところで、上記した遊技機用の操作スイッチにおいては、専らスイッチ動作の確実性・向上性が求められていたが、近年では、この操作スイッチに関しても、視覚的演出効果を高めて興趣を向上させ得る製品の開発が望まれるようになった。
【発明の概要】
【発明が解決しようとする課題】
【０００７】
本発明の課題は、スイッチ機能を確保しつつ興趣を向上させ得る遊技機用の操作スイッチとそれを備えた遊技機を提供することにある。
【課題を解決するための手段および発明の効果】
【０００８】
上記課題を解決するために本発明の遊技機用操作スイッチは、遊技機に装着され、その遊技機での待機状態を含む遊技状態に応じて押圧移動操作が可能な遊技機用操作スイッチであって、遊技者による押圧移動操作を受ける操作部と、操作部への押圧移動操作に基づいて基準線方向へ移動するスイッチ本体と、遊技機に固定され、スイッチ本体を収容するとともに、そのスイッチ本体の基準線方向への移動を検出するための移動検出手段を収容するケース体と、操作部とスイッチ本体との間に介装される凹面鏡部材と、凹面鏡部材の結像対象となる対象物と、を備え、操作部は光を透過させる窓部を有しており、凹面鏡部材による結像作用に基づいて対象物の虚像を窓部上にて又は窓部を通して視認できるように構成されていることを特徴とする。
【０００９】
この遊技機用操作スイッチでは、操作部とスイッチ本体との間に凹面鏡部材が介装される一方で、スイッチ本体の基準線方向への移動を検出する移動検出手段がスイッチケースに収容されている。このため、操作部とスイッチ本体との間に、演出に関する構成部材としての凹面鏡部材を介装するようにしても、移動検出手段によりスイッチ本体の移動がほぼ確実に検出されるので、スイッチの機能を良好に確保することができる。また、操作部とスイッチ本体との間に介装した凹面鏡部材による結像作用に基づいて、対象物の虚像を操作部の窓部上にて又は窓部を通して視認できるようになる。このため、遊技機用操作スイッチ自体において演出効果を高めることができ、興趣を向上させることができる。
【００１０】
なお、移動検出手段としては、次のような変位センサを用いることができる。
（１）非接触センサ：フォトセンサ，レーザセンサ，近接スイッチ，リニアエンコーダ等。
（２）接触センサ：マイクロスイッチ等。
【００１１】
本発明の実施に際して、凹面鏡部材は、対象物を収容する凹面鏡及び該凹面鏡の鏡面側を覆う蓋体を備え、蓋体には、操作部の窓部に対応する位置に開口部が形成され、凹面鏡部材の内側には、対象物を照射する対象物用発光体が設けられており、操作部の窓部には、暗い側からは明るい側を透視でき、明るい側からは暗い側を透視し難くする半透鏡が設けられ、対象物用発光体の発光時には対象物の虚像を窓部上にて又は窓部を通して視認でき、対象物用発光体の非発光時には対象物の虚像を視認し難いように構成されているとよい。この場合、例えば蓋体は、前記凹面鏡を第１の凹面鏡として該第１の凹面鏡の鏡面と向き合う鏡面を備えた第２の凹面鏡であると好適である。
【００１２】
操作部の窓部に半透鏡を設けない場合には、対象物の虚像を操作部の窓部上等に常時形成することが可能であり、これによって視覚的効果を高めることができる。ただし、対象物の虚像を視認できる場合と視認し難い場合とに設定できれば、視覚的効果をより一層良好に高めることが期待される。したがって、上記態様によれば、対象物用発光体の発光時には対象物の虚像を窓部上にて又は窓部を通して視認でき、対象物用発光体の非発光時には対象物の虚像を窓部上にて又は窓部を通して視認し難いので、視覚的効果をより一層良好に高めることができる。この場合、操作部の窓部に半透鏡を設ければよいので、凹面鏡及び蓋体のいずれか一方を移動させる構成に比べて、虚像を形成するための構成を簡易かつコンパクト化することができる。
【００１３】
また、凹面鏡又は蓋体には、対象物を照射する対象物用発光体を凹面鏡部材の内側へ突出配置可能な挿通口が形成されており、対象物は、挿通口を通して突出配置された対象物用発光体を収容するための凹部を有する透光性の樹脂材料で形成され、対象物用発光体がその対象物の凹部内で発光するように構成されているとよい。これによれば、対象物用発光体の発光時に対象物の影が出来にくくなるので、虚像の全体を鮮明に形成することができる。
【００１４】
また、対象物用発光体及び移動検出手段は、ケース体に収容された一つの配線基板に実装されているとよい。これによれば、対象物用発光体及び移動検出手段が固定側のスイッチケースに配設されるので、虚像の鮮明度を良好に確保しつつ、移動検出手段の誤検出を良好に回避することができる。
【００１５】
また、操作部は、透光性の樹脂材料で形成され、蓋体との間には、操作部を通して可視光を外部に照射するための装飾用発光体を実装した円環状の発光基板が開口部の周りを囲むように設けられているとよい。これによれば、操作スイッチを必要以上に大きくしなくても、操作部と蓋体との間のスペースを有効利用して発光基板を設置することができ、対象物用発光体及び装飾用発光体による視覚的効果を重畳させることができる。
【００１６】
また、発光基板は、配線基板を中継基板として制御部に接続されており、その制御部は、移動検出手段によるスイッチ本体の移動検出に応じて対象物用発光体又は装飾用発光体を予め定められた発光パターンに基づいて発光させる構成であるとよい。発光基板と配線基板とを別々に配置することで、操作スイッチを必要以上に大きくすることなく、各基板を操作スイッチ内に収容することができる。
【００１７】
さらに、ケース体又はそれに一体固定された部材には、スイッチ本体の基準線方向への移動に伴って、発光基板と配線基板とを接続する配線に発生する撓みを収容するための配線収容部が形成される場合がある。
【００１８】
このように、スイッチ本体の基準線方向への移動により生じる配線の撓み（伸縮）をケース体の内部に形成される配線収容部にて吸収できるので、ケース体の外側を迂回して架け渡さなくても両基板間を配線接続することができる。したがって、操作部を叩き続けるような過酷な使用態様においても、配線同士が絡み合ったり他物に引っ掛かったりすることによる損傷を受けにくくなる。なお、ケース体に一体固定された部材として、ケース体を塞ぐための蓋部材等を例示することができる。
【００１９】
また、上記課題を解決するために本発明の遊技機は、上記した遊技機用操作スイッチを備えることを特徴とする。
【００２０】
これによれば、上記した遊技機用操作スイッチを遊技機に装着することで、その操作スイッチによる多彩な演出表示が可能な遊技機を提供することができる。
【００２１】
なお、本発明の遊技機には、（１）パチンコ機等の弾球遊技機、（２）スロットマシンやパチスロ機等の回胴式遊技機、（３）ポーカーゲーム機、雀球遊技機等の各種ゲーム機、等が含まれる。
【図面の簡単な説明】
【００２２】
【図１】本発明に係る遊技機用操作スイッチを備えたパチンコ機を例示する斜視図。
【図２】本発明の実施例１に係る遊技機用操作スイッチの一例を示す全体斜視図。
【図３】（ａ）は図２の遊技機用操作スイッチの平面図。（ｂ）は図２の遊技機用操作スイッチの正面図。
【図４】図２の遊技機用操作スイッチの上部ユニットを分解して斜め上から見た斜視図。
【図５】図２の遊技機用操作スイッチの上部ユニットを分解して斜め下から見た斜視図。
【図６】図２の遊技機用操作スイッチの上部ユニットの全体斜視図、及び下部ユニットを分解して斜め上から見た斜視図。
【図７】図２の遊技機用操作スイッチの上部ユニットの全体斜視図、及び下部ユニットを分解して斜め下から見た斜視図。
【図８】図３（ａ）のＡ−Ａ断面図。
【図９】図３（ｂ）のＢ−Ｂ断面図。
【図１０】図８に示した遊技機用操作スイッチの押圧移動操作によって対象物の虚像が操作ボタンの外側に形成されている状態を示す説明図。
【図１１】本発明の実施例２に係る遊技機用操作スイッチの一部を概略的に示す断面図。
【発明を実施するための形態】
【００２３】
以下、本発明の実施の形態について図面を用いて説明する。
【実施例１】
【００２４】
図１は、本発明に係る遊技機用操作スイッチ（以下、単に操作スイッチともいう）１００を備えたパチンコ機１（遊技機）を例示したものである。パチンコ機１には遊技盤２が設けられ、前面側（遊技者に対面する側）の盤面に遊技領域２ａが形成されている。遊技盤２（遊技領域２ａ）のほぼ中央には液晶表示部３が搭載され、その周辺には大入賞口（アタッカー）、電動チューリップ（電チュー）にて構成される始動口をはじめとする役物や、障害釘、風車等（いずれも図示せず）が配置されている。
【００２５】
遊技盤２は内枠４に固定され、内枠４はヒンジ５ａにより外枠５に対して回動開閉可能に支持されている。また、遊技盤２は手前側（遊技者側）に位置するガラス板で覆われ、ガラス板は前面枠６（ガラス枠）に固定され、前面枠６はヒンジ（図示せず）により内枠４に対して回動開閉可能に支持されている。さらに、前面枠６の下部には、発射用の遊技球を貯留しておくための球受皿７が前方側に膨出する形で左右方向に延設され、前面枠６の右側下端部には、球受皿７から供給された遊技球を遊技領域２ａに発射するための発射ハンドル８が前方側に突出配置されている。
【００２６】
液晶表示部３では、パチンコ機１が遊技状態（発射ハンドル８により遊技球が遊技領域２ａに発射されている状態）であるか、待機状態（遊技球が発射されていない状態）であるかにかかわらず、種々の演出表示が可能である。そして、球受皿７の中央前端部には、例えば、液晶表示部３の表示画面におけるナビゲーション表示（告知表示）に従って遊技者が操作することにより、複数の演出表示パターン（モード）の中から特定のパターンを決定したり、実行させたりすることのできる操作スイッチ１００が設置されている。操作スイッチ１００は、上下方向の中心軸線Ｏ（基準線）を有し、遊技者による中心軸線Ｏ方向への押圧移動操作（プッシュ操作）が可能な、いわゆるプッシュボタン式に構成されている。
【００２７】
なお、本明細書において、上下方向とは遊技盤２の盤面に沿う形で遊技球が流下する方向（例えば、鉛直方向）を意味する。また、左右方向とは遊技盤２の盤面に沿う形で上下方向と交差する方向（例えば、水平方向）を意味し、遊技者側からみて左側、右側をいう。さらに、前後方向とは遊技盤２と交差（例えば、直交）する方向を意味し、遊技者に対面する側（手前側）が前面側（前方側）であり、その反対側（奥側）が後面側（後方側）となる。
【００２８】
操作スイッチ１００は、図２〜図７に示すように、全体が中心軸線Ｏ方向（上下方向）へ移動可能な上部ユニット１０と、上部ユニット１０に対して上方への弾発力（付勢力）を作用させるための圧縮コイルばね３０（弾発片）と、上部ユニット１０及び圧縮コイルばね３０を内部に収容し球受皿７（図１参照）に固定配置される下部ユニット４０とを備えている。
【００２９】
上部ユニット１０は、図４及び図５に示すように、主要構成部品として、中心軸線Ｏ方向へ移動可能な操作ボタン１１（操作部）、スイッチ本体１２、凹面鏡部材２０、発光基板１３及び基板押え１４を一体的に備えている。凹面鏡部材２０、発光基板１３及び基板押え１４は、操作ボタン１１とスイッチ本体１２との間に介装されている。
【００３０】
一方、下部ユニット４０は、図６及び図７に示すように、主要構成部品として、中心軸線Ｏ方向へ移動不能なスイッチケース本体４１（ケース体）、底蓋４２（蓋部材）及び中継基板４３（配線基板）を一体的に備えている。なお、圧縮コイルばね３０は、上部ユニット１０と下部ユニット４０との間、すなわちスイッチ本体１２の底壁とスイッチケース本体４１の底壁との間に介装され、中心軸線Ｏに沿って下方へ押下げられた上部ユニット１０を上方へ押し戻すための戻しばねとして機能する。
【００３１】
操作ボタン１１は、図４、図５及び図８に示すように、下向きに開口する有底円筒状をなし、例えばポリカーボネート（ＰＣ）等の透光性の樹脂材料で形成されている。操作ボタン１１の底壁１１ａには、その中央部が下向きに若干量だけ突出して、遊技者側から見て円形状に窪んだ窪み部１１ａ１（窓部）が形成されている。操作ボタン１１の側壁１１ｂには、その下端縁から下向きに突出する複数（例えば３つ）の係合片１１ｂ１と、径方向に貫通する複数（例えば４つ）の係合孔１１ｂ２とが形成されている。
【００３２】
窪み部１１ａ１の上面には、例えば蒸着によりめっきが施され、ハーフミラー１５（半透鏡）が形成されている。ハーフミラー１５は、暗い側からは明るい側を透視でき、明るい側からは暗い側を透視し難くする機能を有している。なお、ハーフミラー１５（半透鏡）は窪み部１１ａ１の下面に形成するようにしてもよい。
【００３３】
スイッチ本体１２は、上向きに開口する有底円筒状をなし、その底壁１２ａの中心部には、対象物用ＬＥＤ４３ａ（図６、図８参照）を上下方向（中心軸線Ｏ方向）に挿通させるためのＬＥＤ用孔１２ａ１が形成されている。底壁１２ａの上面における径方向外側部には、複数（例えば３つ）のビス５１を上下方向に挿通させるビス挿通部１２ａ２が側壁１２ｂに連なる形態で形成されている。底壁１２ａの下面における中央部には、圧縮コイルばね３０の上端部を収容する円環状のばね受け部１２ａ３が形成されるとともに、下向きに延び出す単一の移動突片１２ａ４（移動被検出部）が形成されている。移動突片１２ａ４は、フォトセンサ４３ｂ（図６、図９参照）により移動を検出される部位として機能する。スイッチ本体１２の側壁１２ｂには、底壁１２ａよりも更に下向きに延び出す複数（例えば２つ）のスライド爪１２ｂ１が形成されている。
【００３４】
凹面鏡部材２０は、鏡面側が互いに向き合うように組み合わせられる上凹面鏡２１（蓋体、第２の凹面鏡）と下凹面鏡２２（凹面鏡、第１の凹面鏡）とを備えている。上凹面鏡２１の底面における中央部には、操作ボタン１１の窪み部１１ａ１を嵌め入れ可能な円形状の開口部２１ａ（開口部）が形成されている。上凹面鏡２１の周縁下端部には、操作ボタン１１の各係合片１１ｂ１と係合する係合切欠２１ｂが形成されるとともに、後述する下凹面鏡２２の係合孔２２ｂ１に係合する複数（例えば３つ）の係合片２１ｃが形成されている。また、上凹面鏡２１の鏡面とは反対側の上面には、発光基板１３を載置するための複数（例えば４つ）の突起状の載置部２１ｄが形成されている。
【００３５】
下凹面鏡２２は、放物形状の鏡部２２ａと、鏡部２２ａの外周縁から下向きに延び出し鏡部２２ａを保持する略円筒状の保持部２２ｂとを一体に備えている。鏡部２２ａの底面の中心部には、対象物用ＬＥＤ４３ａ（図６、図８参照）を鏡面側へ突出配置させるためのＬＥＤ用孔２２ａ１（挿通口）が形成されるとともに、対象物２３を固定配置するための対象物用凹部２２ａ２が形成されている。鏡部２２ａの鏡面側とは反対側の下面には、スイッチ本体１２の各ビス挿通部１２ａ２に対応してビス取付部２２ａ３が形成されている。保持部２２ｂの周縁上端部には、上凹面鏡２１の各係合片２１ｃと係合する係合孔２２ｂ１が形成されている。
【００３６】
このような構成により、下凹面鏡２２は、スイッチ本体１２の下側から上向きにビス挿通部１２ａ２に挿通されたビス５１とビス取付部２２ａ３とのねじ結合によって、保持部２２ｂがスイッチ本体１２の側壁１２ｂの上端に着座した状態でスイッチ本体１２に固定される。また、下凹面鏡２２は、上凹面鏡２１の係合片２１ｃと各係合孔２２ｂ１との係合によって、対象物２３を収容した状態で上凹面鏡２１に固定される。そして、上凹面鏡２１と下凹面鏡２２とが固定された状態では、上凹面鏡２１の焦点が下凹面鏡２２の対象物用凹部２２ａ２の中心付近に位置し、下凹面鏡２２の焦点が上凹面鏡２１の開口部２１ａの中心付近に位置するようになっている。
【００３７】
対象物２３は、図５及び図８に示すように、対象物用ＬＥＤ４３ａを内部に位置させるためのＬＥＤ用穴２３ａ（凹部）を有しており、例えばポリカーボネート（ＰＣ）等の透光性の樹脂材料で形成されている。
【００３８】
発光基板１３は、円環状をなし、その板面には操作ボタン１１を通して種々の発光色による可視光を外部に照射するための複数（例えば８つ）の装飾用ＬＥＤ１３ａ（装飾用発光体）が実装されている。発光基板１３の外周縁部には、自身の中心軸線Ｏ回りの回転を防止するための複数（例えば４つ）の回り止め用切欠１３ｂが形成されている。
【００３９】
基板押え１４は、発光基板１３とほぼ同じ大きさの円環状をなし、その板面には発光基板１３の各装飾用ＬＥＤ１３ａを上方へ露出させるためのＬＥＤ用孔１４ａが形成されている。基板押え１４の外周縁部には、操作ボタン１１の各係合孔１１ｂ２と、発光基板１３の各回り止め用切欠１３ｂとに係合する係合片１４ｂが形成されている。
【００４０】
このような構成により、発光基板１３は、基板押え１４と上凹面鏡２１の載置部２１ｄとで上下に挟み込まれ、上凹面鏡２１の開口部２１ａの周りを囲んだ状態で操作ボタン１１及び凹面鏡部材２０に固定される。
【００４１】
下部ユニット４０のスイッチケース本体４１は、図６〜図９に示すように、上向きに開口する有底円筒状をなし、操作ボタン１１を除く上部ユニット１０と圧縮コイルばね３０とを内部に収容している（図８参照）。スイッチケース本体４１の底壁４１ａの中心部には、対象物用ＬＥＤ４３ａを上下方向（中心軸線Ｏ方向）に挿通させるためのＬＥＤ用孔４１ａ１が形成されている。底壁４１ａの上面における中央部には、圧縮コイルばね３０の下端部を収容する円環状のばね受け部４１ａ２が形成されている。底壁４１ａの下面におけるＬＥＤ用孔４１ａ１の近傍には、スイッチ本体１２の移動突片１２ａ４を上下方向に挿通させるための突片用孔４１ａ３が形成されている。
【００４２】
スイッチケース本体４１の側壁４１ｂは、底壁４１ａから更に下向きに延び出しており、その延出部の外周面には、径方向外向きに突出した複数（例えば２つ）の固定爪４１ｂ１が形成されている。また、その延出部の内周面には、複数（例えば２本）のスライド溝４１ｂ２（案内凹部）が上下方向に延び出すように形成されている。スイッチ本体１２のスライド爪１２ｂ１がスイッチケース本体４１のスライド溝４１ｂ２に沿って移動することにより、操作ボタン１１及びスイッチ本体１２が上下に移動する。
【００４３】
下部ユニット４０の蓋体４２の周縁部には、複数（例えば２つ）の固定枠４２ａが起立形成されている。スイッチケース本体４１の固定爪４２ａに蓋体４２の固定枠４２ａを嵌合させることにより、蓋体４２はスイッチケース本体４１の下側に固定される。
【００４４】
中継基板４３は、擬似矩形状をなし、スイッチケース本体４１の底壁４１ａと蓋体４２との間に水平状に挟み込まれて固定される。この中継基板４３は、図示を省略する配線によってパチンコ機１の裏側に設けられた制御基板２００に接続されるとともに、配線Ｗ（図９参照）によって発光基板１３に接続されていて、制御基板２００と発光基板１３との間の電気信号（点灯・点滅信号）のやり取りを中継する。この場合、上部ユニット１０が下部ユニット４０に対して上下に移動した場合でも、装飾用ＬＥＤ１３ａが確実に機能するよう、上部ユニット１０及び下部ユニット４０の各構成部材には配線Ｗのための収容部が設けられている。
【００４５】
具体的には、図４〜図７、図９に示すように、発光基板１３のコネクタ１３ｃ（図９参照）に接続された配線Ｗは、上凹面鏡２１の配線用切欠２１ｅ、下凹面鏡２２の配線用凹部２２ｂ２、スイッチ本体１２の配線用挿通部１２ａ５、スイッチケース本体４１の配線用凹部４１ａ４を経て、中継基板４３の下面側から配線用挿通孔４３ｃを通って中継基板４３の上面側のコネクタＣ（図９参照）に接続されるようになっている。そして、蓋体４２には、配線Ｗに発生する撓みを収容するために、下方（外側）へ半球状に膨出する膨出部４２ｂが形成されている。
【００４６】
このような構成により、配線Ｗが操作スイッチ１００内において比較的自由に移動・変形できるので、操作ボタン１１が繰り返し押圧操作される場合でも、配線Ｗの断線、損傷等が良好に防止される。
【００４７】
中継基板４３には、図６及び図９に示すように、対象物用ＬＥＤ４３ａ（対象物用発光体）とフォトセンサ４３ｂ（移動検出手段）とが実装（立設固定）されている。対象物用ＬＥＤ４３ａは、スイッチケース本体４１のＬＥＤ用孔４１ａ１、スイッチ本体１２のＬＥＤ用孔１２ａ１、及び下凹面鏡２２のＬＥＤ用孔２２ａ１を通って、対象物２３のＬＥＤ用穴２３ａ内に配置されている。なお、上部ユニット１０が下方へ移動した場合でも、可動側の対象物２３が固定側の対象物用ＬＥＤ４３ａと接触しないよう、上部ユニット１０の移動量を見込んで対象物用ＬＥＤ４３ａが対象物２３のＬＥＤ用穴２３ａ内に配置されるようになっている。
【００４８】
フォトセンサ４３ｂは、スイッチ本体１２の移動突片１２ａ４を光学的に検出することによって、操作ボタン１１への押圧移動操作に基づく上部ユニット１０の移動を検出する。なお、スイッチ本体１２の移動突片１２ａ４は、スイッチケース本体４１の突片用孔４１ａ３及び圧縮コイルばね３０の内側を通ってフォトセンサ４３ｂに向けて延び出している。
【００４９】
制御基板２００（制御部）は、演算装置であるＣＰＵ（Central Processing Unit）、各種プログラム及び判定テーブルが格納される読み取り専用記憶装置であるＲＯＭ（Read Only Memory）、ワークエリアや各種カウンタ等が割り当てられる読み書き可能な記憶装置であるＲＡＭ（Random Access Memory）、入出力インターフェースであるＩ／Ｏ（Input/Output）などを主要部品としたマイクロコンピュータで構成されている。制御基板２００は、操作スイッチ１００の操作ボタン１１が押圧されない通常時には対象物用ＬＥＤ４３ａを消灯するとともに、装飾用ＬＥＤ１３ａを予め定められた発光パターンに基づいて点灯・点滅させる。なお、通常時には装飾用ＬＥＤ１３ａを消灯状態に維持するようにしてもよい。
【００５０】
一方、制御基板２００は、操作ボタン１１の押圧時には対象物用ＬＥＤ４３ａを点灯させるとともに、装飾用ＬＥＤ１３ａを通常時とは異なる発光パターンに基づいて点灯・点滅させ、またこれに加えて又は代えて、発光色を変化させる。
【００５１】
以上のように構成された操作スイッチ１００では、操作ボタン１１が押圧されない通常時には、対象物用ＬＥＤ４３ａが消灯状態に維持されている。したがって、この場合には、操作ボタン１１の外側の方が内側に比べて明るくなるので、ハーフミラー１５の作用により対象物２３の虚像Ｖが操作ボタン１１の窪み部１１ａ１上に浮き出ることはない（図８参照）。
【００５２】
これに対して、操作ボタン１１の押圧時には、対象物用ＬＥＤ４３ａが点灯状態となる。したがって、この場合には、操作ボタン１１の外側の方が内側に比べて暗くなるので、図１０に示すように、対象物用ＬＥＤ４３ａにより照射された対象物２３の像が上凹面鏡２１の鏡面と下凹面鏡２２の鏡面とによって反射され、上凹面鏡２１の開口部２１ａ及び操作ボタン１１の窪み部１１ａ１におけるハーフミラー１５を透過して結像され、操作ボタン１１の窪み部１１ａ１上に鮮明な虚像Ｖが浮き出る。
【００５３】
以上の説明からも明らかなように、この実施例１では、対象物用ＬＥＤ４３ａの発光（点灯時）時には対象物２３の虚像Ｖを操作ボタン１１の窪み部１１ａ１上にて視認でき、対象物用ＬＥＤ４３ａの非発光（消灯）時には対象物２３の虚像Ｖを操作ボタン１１の窪み部１１ａ１上にて視認し難いので、操作ボタン１１の押圧操作に応じて視覚的効果を良好に高めることができ、パチンコ機１において多彩な演出表示を行なわせることができる。この場合、操作ボタン１１の窪み部１１ａ１にハーフミラー１５を設ければよいので、上凹面鏡２１及び下凹面鏡２２のいずれか一方を移動させる構成に比べて、虚像Ｖを形成するための構成を簡易かつコンパクト化することができる。
なお、対象物用ＬＥＤ４３ａを、操作ボタン１１の押圧時に限らず、大当たり確定時等の遊技中の所定条件により発光（点灯）させるようにしてもよい。これによれば、遊技者の操作によらず急に虚像Ｖが出現することで遊技者の注意を惹くことができる。また、虚像Ｖの出現を操作ボタン１１を押圧させる合図としてもよい。
【００５４】
また、上記実施例１では、対象物２３を照射する対象物用ＬＥＤ４３ａが、下凹面鏡２２のＬＥＤ用孔２２ａ１を通して凹面鏡部材２０の内側へ突出配置されており、対象物２３の凹部２３ａ内で点灯するように構成されている。これにより、対象物用ＬＥＤ４３ａの点灯時に対象物２３の影が出来にくくなるので、虚像Ｖの全体を鮮明に形成することができる。
【００５５】
また、対象物用ＬＥＤ４３ａ及びフォトセンサ４３ｂが固定側のスイッチケース本体４１に収容された中継基板４３に実装されている。これにより、虚像Ｖの鮮明度を良好に確保しつつ、フォトセンサ４３ｂの誤検出を良好に回避することができる。
【００５６】
また、操作ボタン１１が透光性の樹脂材料で形成され、操作ボタン１１と上凹面鏡２１との間には、発光基板１３が上凹面鏡２１の開口部２１ａの周りを囲むように載置部２１ｄに載置されている。これにより、操作スイッチ１００を必要以上に大きくしなくても、操作ボタン１１と上凹面鏡２１との間のスペースを有効利用して発光基板１３を設置することができ、対象物用ＬＥＤ４３ａ及び装飾用ＬＥＤ１３ａによる視覚的効果を重畳させることができる。
なお、発光基板１３は、スイッチ本体１２と下凹面鏡２２との間のスペースを有効利用して設置するようにしてもよく、装飾用ＬＥＤ１３ａの光を操作ボタン１１の側壁１１ｂ（スイッチ本体１２の側壁１２ｂ，下凹面鏡２２の保持部２２ｂ）を導光させて底壁１１ａを光らせるようにすればよい。このとき、底壁１１ａ及び側壁１１ｂ内面にローレット加工を施すと底壁１１ａを効果的に光らせることができる。
【００５７】
また、発光基板１３が中継基板４３を介して制御基板２００に接続されており、フォトセンサ４３ｂにより移動突片１２ａ４が検出されたとき、制御基板２００によって対象物用ＬＥＤ４３ａが点灯されるとともに、装飾用ＬＥＤ１３ａが予め定められた発光パターンに基づいて点灯・点滅されるように構成されている。このように発光基板１３と中継基板４３とが別々に配置されているので、操作スイッチ１００を必要以上に大きくしなくて済む。
【実施例２】
【００５８】
上記実施例１では、凹面鏡部材２０を、第１の凹面鏡としての下凹面鏡２２（凹面鏡）と、第２の凹面鏡としての上凹面鏡２１（蓋体）とで構成したが、上凹面鏡２１に代えて、例えば図１１に示すように、下凹面鏡２２（凹面鏡）の鏡面側を覆う上蓋２４（蓋体）を用いてもよい。なお、この実施例２の下凹面鏡２２（凹面鏡）は、実施例１で用いた下凹面鏡２２に比して曲率が大きい（曲率半径が小さい）半球形状をしている。以下の説明では、上記実施例１と同様の機能を果たす部材、部位には同一の符号を付して説明を省略する。
【００５９】
上蓋２４は、非透光性の樹脂材料で形成されており、平板状をなし、その中央付近には上下に貫通する開口部２４ａが形成されている。上蓋２４の下面には、対象物２３が下凹面鏡２２側に立設されている。上蓋２４の上面には、開口部２４ａの周りを囲むように発光基板１３が載置されている。なお、この実施例２では、対象物用ＬＥＤ４３ａが発光基板１３に実装され、上蓋２４のＬＥＤ用孔２４ｂ（挿通口）を通して凹面鏡部材２０の内側へ突出配置されており、対象物２３の凹部２３ａ内で点灯するように構成されている。
【００６０】
この実施例２によっても、上記実施例１と同様、対象物２３の虚像Ｖが操作ボタン１１の窪み部１１ａ１上に形成されるので、操作スイッチ１００自体の演出効果を高めることができ、興趣を向上させることができる。
【００６１】
なお、上記各実施例では、操作ボタン１１の窪み部１１ａ１にハーフミラー１５を設けたので、対象物用ＬＥＤ４３ａの発光時にのみ対象物２３の虚像Ｖを視認できる構成とすることができたが、ハーフミラー１５は省略してもよい。
【００６２】
また、上記各実施例では、操作ボタン１１の窪み部１１ａ１上に対象物２３の虚像Ｖが形成されるように凹面鏡部材２０を構成する各凹面鏡の焦点位置を設定したが、このような設定に限らず、操作スイッチ１００を押圧操作する遊技者が操作ボタン１１の窪み部１１ａ１を通して視認できる凹面鏡部材２０の空間内に対象物２３の虚像Ｖが形成されるように凹面鏡部材２０を構成する各凹面鏡の焦点位置を設定してもよい。凹面鏡の焦点位置は凹面鏡の曲率によって変わるので、凹面鏡の曲率を変えることで虚像の視認範囲を変えることができ、操作スイッチの設置場所にあわせて凹面鏡の曲率を変えるようにすれば、操作スイッチの設置場所にかかわらず遊技者に虚像を良好に視認させることができる。この場合、凹面鏡を曲率の異なった凹面鏡に交換するだけでよく、他の部品構成をそのまま使用することができるので、操作スイッチに凹面鏡部材を組み込むようにしてもコストの上昇を抑えることができる。
【００６３】
また、上記各実施例では、対象物２３として三次元形状の造形物を用いたが、これに代えて、例えばほぼ平面に近い薄板材に所定の文字、図柄等を表示したものを対象物としてもよい。
【００６４】
また、上記各実施例では、対象物２３を凹面鏡部材２０内に固定配置したが、例えば操作ボタン１１の押圧時に、対象物２３をモータ等の駆動機構により回転させたり、あるいは振動機構により振動させる構成にしてもよい。
【００６５】
また、上部ユニット１０を構成する各構成部材の固定方式は係合による場合に限らず、例えば接着やビスによるねじ結合など適宜変更可能である。
【００６６】
また、上記各実施例では、操作スイッチ１００をパチンコ機１の球受皿７に取り付けた場合について説明したが、その他の部位に取り付けてもよい。その際、中心軸線Ｏ方向は上下方向以外に設定してもよい。また、パチンコ機１以外の、アレパチ機等の他の弾球遊技機やスロットマシン、パチスロ機等の回胴式遊技機に取り付けてもよい。
【符号の説明】
【００６７】
１  パチンコ機（遊技機）
１０  上部ユニット
１１  操作ボタン（操作部）
１１ａ１  窪み部（窓部）
１２  スイッチ本体
１２ａ４  移動突片
１３  発光基板
１３ａ  装飾用ＬＥＤ（装飾用発光体）
１４  基板押え
１５  ハーフミラー（半透鏡）
２０  凹面鏡部材
２１  上凹面鏡（蓋体、第２の凹面鏡）
２１ａ  開口部
２１ｄ  載置部
２２  下凹面鏡（凹面鏡、第１の凹面鏡）
２２ａ１  ＬＥＤ用孔（挿通口）
２２ａ２  対象物用凹部
２３  対象物
２３ａ  ＬＥＤ用穴（凹部）
２４  上蓋（蓋体）
２４ａ  開口部
２４ｂ  ＬＥＤ用孔（挿通口）
３０  圧縮コイルばね
４０  下部ユニット
４１  スイッチケース本体（ケース体）
４２  底蓋
４３  中継基板（配線基板）
４３ａ  対象物用ＬＥＤ（対象物用発光体）
４３ｂ  フォトセンサ（移動検出手段）
５１  ビス
１００  操作スイッチ（遊技機用操作スイッチ）
２００  制御基板（制御部）
Ｏ  中心軸線
Ｗ  配線
【図１】
2011019830.tif 000003
【図２】
2011019830.tif 000004
【図３】
2011019830.tif 000005
【図４】
2011019830.tif 000006
【図５】
2011019830.tif 000007
【図６】
2011019830.tif 000008
【図７】
2011019830.tif 000009
【図８】
2011019830.tif 000010
【図９】
2011019830.tif 000011
【図１０】
2011019830.tif 000012
【図１１】
2011019830.tif 000013